(57)【要約】【課題】ネットワークの負荷を増大させずに動的にアンカーエリアを構成することができる通信方法を得ること。【解決手段】移動機がアクティブな状態を維持しながら接続先の無線基地局を変更可能な範囲であるアンカーエリアを構成する場合の通信方法であって、移動機がセッション接続要求を無線基地局に送信するステップ（Ｓ１１）と、無線基地局が、受信したセッション接続要求に自装置の識別子を付加し加入者制御ノードへ送信するステップ（Ｓ１２）と、加入者制御ノードが、あらかじめ定められた、初期接続先の無線基地局とアンカーエリアを構成する無線基地局の範囲との対応のうち、前記識別子に対応する範囲をアンカーエリアとして決定するステップ（Ｓ１５）と、を含む。【選択図】        図３
2008306384.tif 000002
【特許請求の範囲】
【請求項１】
移動機と無線基地局と前記無線基地局に接続され前記移動機を管理する加入者制御ノードとを備える通信システムにおいて、前記移動機がデータの送受信が可能な状態を維持しながら接続先の無線基地局を変更可能な範囲であるアンカーエリアを構成する場合の通信方法であって、
前記移動機が加入者制御ノード宛のセッション接続要求を前記無線基地局に送信するセッション接続要求送信ステップと、
前記無線基地局が、受信したセッション接続要求に自装置の識別子を付加し、識別子付加後のセッション接続要求を前記加入者制御ノードへ送信するセッション接続要求転送ステップと、
前記識別子付加後のセッション接続要求を受信した加入者制御ノードが、あらかじめ定められている、初期の接続先の無線基地局とアンカーエリアを構成する無線基地局の範囲との対応のなかから、前記識別子に対応するアンカーエリアを構成する無線基地局の範囲を選択して、選択した範囲を前記移動機に対するアンカーエリアとして決定するアンカーエリア決定ステップと、
を含むことを特徴とする通信方法。
【請求項２】
移動機と無線基地局と前記無線基地局に接続され前記移動機を管理する加入者制御ノードと前記加入者制御ノードに接続される関門ゲートウェイと前記関門ゲートウェイに接続され移動機ごとに加入者情報を管理する加入者情報サーバとを備える通信システムにおいて、前記移動機がデータの送受信が可能な状態を維持しながら接続先の無線基地局を変更可能な範囲であるアンカーエリアを構成する場合の通信方法であって、
前記移動機が加入者制御ノード宛のセッション接続要求を前記無線基地局に送信するセッション接続要求送信ステップと、
前記無線基地局が受信したセッション接続要求に自装置の識別子を付加し、識別子付加後のセッション接続要求を前記加入者制御ノードへ送信するセッション接続要求転送ステップと、
前記加入者制御ノードが、前記セッション接続要求に含まれる識別子を抽出し、抽出した識別子をコンテキスト生成要求に含めて前記関門ゲートウェイに送信するコンテキスト生成要求ステップと、
前記関門ゲートウェイが、前記識別子を含みアンカーエリアの決定を促すためのアンカーエリア問い合わせを前記加入者情報サーバに送信するアンカーエリア問い合わせステップと、
前記アンカーエリア問い合わせを受信した加入者情報サーバが、あらかじめ定められている、初期の接続先の無線基地局とアンカーエリアを構成する無線基地局の範囲との対応のなかから、前記識別子に対応するアンカーエリアを構成する無線基地局の範囲を選択して、選択した範囲を前記移動機に対するアンカーエリアとして決定するアンカーエリア決定ステップと、
を含むことを特徴とする通信方法。
【請求項３】
前記加入者情報サーバが、前記移動機がデータの送受信が可能な状態で接続した無線基地局の履歴を記憶する移動履歴保持ステップと、
前記移動機が、待ち受け状態へ移行するためのセッション開放要求を前記無線基地局に送信するセッション開放要求送信ステップと、
前記無線基地局が、前記加入者制御ノードにセッション開放要求を転送するセッション開放要求送信ステップと、
前記セッション開放要求を受信した加入者制御ノードが、記憶している前記移動機に対応する履歴を前記関門ゲートウェイに送信する移動履歴送信ステップと、
前記関門ゲートウェイが、前記履歴を前記加入者情報サーバに送信する移動履歴通知ステップと、
前記加入者情報サーバが、前記履歴を記憶する移動履歴記憶ステップと、
をさらに含み、
前記アンカーエリア決定ステップでは、前記加入者情報サーバが、さらに前記移動履歴に基づいて前記移動機に対するアンカーエリアを決定することを特徴とする請求項２に記載の通信方法。
【請求項４】
前記アンカーエリア決定ステップでは、さらに自装置の保持している前記移動機に対応する加入者情報に基づいて前記移動機に対するアンカーエリアを決定することを特徴とする請求項２または３に記載の通信方法。
【請求項５】
前記加入者制御ノードが前記移動機のハンドオーバ先の無線基地局からハンドオーバが完了した旨の通知を受けた場合に、前記無線基地局が、前記移動機に対応するアンカーエリアの範囲外であるか否かを判断するアンカーエリア判別ステップと、
前記アンカーエリア判別ステップでアンカーエリアの範囲外であると判断した場合には、前記加入者制御ノードが、前記移動機に関するセッションを制御するためのコンテキスト情報を記憶するコンテキスト記憶ステップと、
前記コンテキスト記憶ステップを実行した後に、前記ハンドオーバ先の無線基地局に前記移動機に対してコンテキストを開放するためのコンテキスト開放要求を送信するコンテキスト開放要求送信ステップと、
前記加入者制御ノードが、前記コンテキスト開放要求送信ステップを実行した後に、前記移動機からのセッション接続要求を前記ハンドオーバ先の無線基地局経由で受信した場合には、前記コンテキスト情報を用いてセッション接続を行うセッション接続ステップと、
をさらに含むことを特徴とする請求項１に記載の通信方法。
【請求項６】
前記加入者制御ノードは、前記コンテキスト開放要求の返答であるコンテキスト開放完了通知を前記移動機から前記ハンドオーバ先の無線基地局経由で受信し、前記コンテキスト開放完了通知を受信したときから所定の時間が経過しても前記移動機からのセッション接続要求を受信しない場合には、前記移動機のコンテキスト情報を削除することを特徴とする請求項５に記載の通信方法。
【請求項７】
前記通信システムが前記移動機に関する転送路の切り換えを行う加入者ゲートウェイノードをさらに備える場合において、
前記加入者制御ノードが、前記アンカーエリア判別ステップでアンカーエリアの範囲外であると判断した場合には、前記加入者ゲートウェイノードに前記移動機宛のユーザデータのバッファリングを行うことを指示するバッファリング指示を送信するバッファリング指示ステップと、
前記加入者ゲートウェイノードが、前記バッファリング指示に基づいて前記移動機宛のユーザデータをバッファリングするバッファリンステップと、
前記加入者制御ノードが、前記セッション接続ステップを実行した後に、前記加入者ゲートウェイノードに前記移動機の転送路を設定するためのパス設定要求を送信するパス設定要求送信ステップと、
前記パス設定要求を受信した加入者ゲートウェイノードが、前記バッファリングステップでバッファリングしたユーザデータを前記移動機に宛てて送信するユーザデータ送信ステップと、
をさらに含むことを特徴とする請求項５または６に記載の通信方法。
【請求項８】
前記バッファリング指示ステップでは、前記加入者制御ノードが、バッファリングするデータ種別を選択し、前記選択したデータ種別を前記バッファリング指示に含めて送信し、
前記バッファリンステップでは、前記ゲートウェイノードが、前記移動機宛のユーザデータのうち前記選択したデータ種別に対応するユーザデータのみをバッファリングすることを特徴とする請求項７に記載の通信方法。
【請求項９】
前記アンカーエリア決定ステップでは、さらに前記移動機のサービス品質クラスに基づいて前記移動機に対するアンカーエリアを決定することを特徴とする請求項１〜８のいずれか１つに記載の通信方法。
【請求項１０】
前記アンカーエリア決定ステップでは、さらにネットワークの負荷状況に基づいて前記移動機に対するアンカーエリアを決定することを特徴とする請求項１〜９のいずれか１つに記載の通信方法。
【請求項１１】
移動機と無線基地局と前記無線基地局に接続され前記移動機を管理する加入者制御ノードとを備え、前記移動機がデータの送受信が可能な状態を維持しながら接続先の無線基地局を変更可能な範囲であるアンカーエリアを構成する通信システムであって、
前記移動機は、加入者制御ノード宛のセッション接続要求を前記無線基地局に送信し、
前記無線基地局は、受信したセッション接続要求に自装置の識別子を付加し、識別子付加後のセッション接続要求を前記加入者制御ノードへ送信し、
前記加入者制御ノードは、前記識別子付加後のセッション接続要求を受信し、あらかじめ定められている、初期の接続先の無線基地局とアンカーエリアを構成する無線基地局の範囲との対応のなかから、前記識別子に対応するアンカーエリアを構成する無線基地局の範囲を選択して、選択した範囲を前記移動機に対するアンカーエリアとして決定することを特徴とする通信システム。
【請求項１２】
移動機と無線基地局と前記無線基地局に接続され前記移動機を管理する加入者制御ノードと前記加入者制御ノードに接続される関門ゲートウェイと前記関門ゲートウェイに接続され移動機ごとに加入者情報を管理する加入者情報サーバとを備え、前記移動機がデータの送受信が可能な状態を維持しながら接続先の無線基地局を変更可能な範囲であるアンカーエリアを構成する通信システムであって、
前記移動機が、加入者制御ノード宛のセッション接続要求を前記無線基地局に送信し、
前記無線基地局が、受信したセッション接続要求に自装置の識別子を付加し、識別子付加後のセッション接続要求を前記加入者制御ノードへ送信し、
前記加入者制御ノードが、前記セッション接続要求に含まれる識別子を抽出し、抽出した識別子をコンテキスト生成要求に含めて前記関門ゲートウェイに送信し、
前記関門ゲートウェイが、前記識別子を含みアンカーエリアの決定を促すためのアンカーエリア問い合わせを前記加入者情報サーバに送信し、
前記加入者情報サーバが、前記アンカーエリア問い合わせを受信し、あらかじめ定められている、初期の接続先の無線基地局とアンカーエリアを構成する無線基地局の範囲との対応のなかから、前記識別子に対応するアンカーエリアを構成する無線基地局の範囲を選択して、選択した範囲を前記移動機に対するアンカーエリアとして決定することを特徴とする通信システム。
【発明の詳細な説明】
【技術分野】
【０００１】
本発明は、待ち受け状態に一旦以降すること無しに移動機が基地局間を移動できる範囲であるアンカーエリアを構成するための通信方法に関する。
【背景技術】
【０００２】
セルラーシステムにより提供される各種サービスは高度な利便性から大多数の人々が利用するところとなった。今日主流となった第３世代（３Ｇ）のセルラーシステムをさらに発展させて高速／大容量化を実現するための技術仕様について、国際標準化検討作業が進められている。以下、従来のセルラーシステムで、移動機がアクティブな状態（ユーザデータを送受信することの可能な状態）を維持しながら基地局間を移動できる範囲（以下、アンカーエリアという）の構成方法について説明する。
【０００３】
たとえば、The  3rd  Generation  Partnership  Project（３ＧＰＰ）が策定している第３世代のセルラーシステムの標準技術仕様では、移動機がServing  GPRS（General  Packet  Radio  Service）  Support  Node（ＳＧＳＮ）が制御するエリア（Routing  Area：ＲＡ）をまたがって移動していく際の、Serving  Radio  Network  System（ＳＲＮＳ）の再配置と呼ばれる手順（再配置手順）が規定されている。この再配置手順では、移動機との間のユーザデータの転送を１台のＳＧＳＮが移動機との転送路を延長して制御し続けるのではなく、隣接ＳＧＳＮに制御を委ねて転送路を隣接ＳＧＳＮとの間で再設定する。このような手順とすることによって、転送路の最適化とネットワーク負荷の軽減をはかっている（たとえば、下記非特許文献１参照）。
【０００４】
上記の再配置手順では、移動機のユーザデータの転送サービスの継続性を保証するため、隣接するＳＧＳＮ間やＳＲＮＳを制御しているRadio  Network  Controller（ＲＮＣ）間で制御情報を引継ぐ。そして、移動機にその引継ぎを意識させることなく移動機の制御を継続する必要があるため、移動機との接続情報をＳＧＳＮ間やＲＮＣ間などで、移動機に関する制御情報をやりとりするため、再配置の手順が複雑になってしまうという問題がある。
【０００５】
この問題を解決するための手段として、以下のような方法がある。まず、アンカーエリアを設定し、同一のアンカーエリア内にいるうちは、移動機が基地局間をまたがる移動をした場合には、移動機への転送用方路を切り換えて転送路を延長することにより移動機との通信を継続する。そして、アンカーエリアを超えた場合には、上記の再配置手順を実行せずに、移動機を一旦待ち受け状態へ移行させて、再び接続要求を行いアクティブな状態とする。
【０００６】
しかし、アンカーエリアが固定的に設定されている場合、アンカーエリアの境界に位置する移動機がアクティブな状態で移動し始めて境界を行き来すると、待ち受け状態とアクティブな状態とが繰り返されることになり、アクティブな状態を維持できないという問題が発生する。このため、たとえば、下記特許文献１では、ネットワーク的位置情報と地理的位置情報とに基づいて、移動機との間のユーザデータを転送する範囲（アンカーエリアに相当）と転送装置を動的に求めて最適エリアを形成するシステムと方法が開示されている。
【０００７】
【特許文献１】特開２００５−２９５１０８号公報
【非特許文献１】3GPP，“General  Packet  Radio  Service(GPRS):  Service  description:  Stage2  (Release  7)”TS  23.060,  v7.3.0,  2006年12月（81頁、Figure  39）
【発明の開示】
【発明が解決しようとする課題】
【０００８】
しかしながら、上記特許文献１に記載の従来の技術によれば、従来のモビリティ制御手順を拡張して移動機との間のユーザデータを転送する範囲と転送装置を動的に求めている。このため、移動機がアクティブな状態にあるのか、ユーザデータを送受信することのない待ち受け状態にあるのか、といった移動機の状態を考慮しておらず、たとえば、待ち受け状態の移動機についてもアクティブな状態の移動機と同様に移動機との間のユーザデータを転送する範囲と転送装置を動的に求めることになり、ネットワークの負荷が増大してしまうという問題が生じてしまう、という問題があった。
【０００９】
本発明は、上記に鑑みてなされたものであって、ネットワークの負荷を増大させることなく動的にアンカーエリアを構成することができる通信方法および通信システムを得ることを目的とする。
【課題を解決するための手段】
【００１０】
上述した課題を解決し、目的を達成するために、本発明は、移動機と無線基地局と前記無線基地局に接続され前記移動機を管理する加入者制御ノードとを備える通信システムにおいて、前記移動機がデータの送受信が可能な状態を維持しながら接続先の無線基地局を変更可能な範囲であるアンカーエリアを構成する場合の通信方法であって、前記移動機が加入者制御ノード宛のセッション接続要求を前記無線基地局に送信するセッション接続要求送信ステップと、前記無線基地局が、受信したセッション接続要求に自装置の識別子を付加し、識別子付加後のセッション接続要求を前記加入者制御ノードへ送信するセッション接続要求転送ステップと、前記識別子付加後のセッション接続要求を受信した加入者制御ノードが、あらかじめ定められている、初期の接続先の無線基地局とアンカーエリアを構成する無線基地局の範囲との対応のなかから、前記識別子に対応するアンカーエリアを構成する無線基地局の範囲を選択して、選択した範囲を前記移動機に対するアンカーエリアとして決定するアンカーエリア決定ステップと、を含むことを特徴とする。
【発明の効果】
【００１１】
この発明によれば、移動機がアクティブな状態に移行する際に、アンカーエリアを動的に構成するようにしたので、ネットワークの負荷を増大させることなく動的にアンカーエリアを構成することができる、という効果を奏する。
【発明を実施するための最良の形態】
【００１２】
以下に、本発明にかかる通信方法および通信システムの実施の形態を図面に基づいて詳細に説明する。なお、この実施の形態によりこの発明が限定されるものではない。
【００１３】
実施の形態１．
図１は、本発明にかかる通信システムの実施の形態１の構成例を示す図である。図１に示すように、本実施の形態の通信システムは、移動可能な無線端末である移動機１１，１２と、無線チャネルを用いて移動機１１，１２との間で無線通信を行う無線基地局２１，２２，２３と、移動機１１，１２の位置管理およびセッション管理を行う加入者制御ノード３１，３２と、無線基地局２１，２２，２３に移動機１１，１２宛のユーザデータを転送し、無線基地局間のハンドオーバ時には、ユーザデータ転送用方路を切替えるアンカーポイントとして動作する加入者ゲートウェイノード４１，４２と、を備えている。トランスポートネットワーク１１０は、加入者制御ノード３１，３２および加入者ゲートウェイノード４１，４２を接続するネットワークである。なお、移動機１１，１２，無線基地局２１，２２，２３，加入者制御ノード３１，３２，加入者ゲートウェイノード４１，４２の各装置の台数は、図１に示した台数に限らず、それぞれ１台以上であれば何台で構成してもよい。
【００１４】
また、加入者ゲートウェイノード４１，４２は、無線基地局２１，２２，２３が構成する無線システム（以下、第１の無線システムという）とは別の無線システム（以下、第２の無線システムという）に接続する加入者制御ノード８１，８２とトランスポートネットワーク１３０を介して、接続されている。第２の無線システムは、移動機１１，１２と無線通信を行う無線基地局６１，６２と、トランスポートネットワーク１２０を介して無線基地局６１，６２の無線リソース制御などを行う基地局制御装置７１，７２で構成される。加入者制御ノード加入者ノード８１，８２は、第２の無線システムの基地局制御装置７１，７２を介して移動機１１，１２の位置管理およびセッション管理を行う。
【００１５】
さらに、本実施の形態の通信システムは、インターネットやイントラネットなどの他のパケット通信ネットワーク２００と本実施の形態の通信システムとを接続する関門ゲートウェイノード５と、移動機１１，１２ごとの加入者情報（ユーザ情報）を管理する加入者情報サーバ９１と、本実施の形態の無線システムを構成する各装置の構成情報を保持し、各トランスポートネットワークの輻輳や障害の有無などの状態を含めて監視制御するオペレーションセンター９２、とを備えている。また、関門ゲートウェイノード５，加入者情報サーバ９１，オペレーションセンター９２，加入者ゲートウェイノード４１，４２は、トランスポートネットワーク１４０により接続されている。移動機１１，１２は、単一または複数の無線システムに対応しており、第１の無線システムにも接続可能であり、第２の無線システムにも接続可能である。
【００１６】
図２は、本実施の形態のアンカーエリアの構成の一例を示す図である。図２の無線基地局２１〜２７は、図１で示した無線基地局２１，２２，２３と同様の基地局である。本実施の形態では、図１の第１の無線システムに移動機１１，１２が接続される場合について説明する。アンカーエリア３１０，３２０，３３０は、移動機１１，１２がアクティブな状態を維持しながら移動可能な範囲をそれぞれ示している。移動機１１，１２がアクティブな状態を維持しながらアンカーエリア３１０，３２０，３３０の範囲内を移動する場合は、加入者ゲートウェイノード４１，４２がユーザデータ転送用方路の切替えを行うことにより、移動機１１，１２がアクティブな状態のまま移動できるようにしている。また、たとえば、移動機１１，１２がアンカーエリア３１０からアンカーエリア３２０へ移動する場合等、アンカーエリアを超えて移動する場合は、移動機１１，１２は、一旦セッションを解放して待ち受け状態（非アクティブな状態）に移行してトランスポートネットワーク１１０のリソースを解放し、移動後のアンカーエリアで再度セッションの接続要求を行いアクティブな状態へ移行する。
【００１７】
図３は、本実施の形態の動作を示したシーケンス図である。本シーケンス図を使って動作を説明する。移動機１１は、音声通信を含めたパケット通信を開始する際、待ち受け状態からアクティブな状態と移行するために、最寄りの無線基地局２２（ここでは、無線基地局２２が最寄りであったとする）に対して、RRC  Connection  Setupメッセージを送信する（ステップＳ１１）。本実施の形態では、このRRC  Connection  Setupメッセージに、加入者制御ノード宛のセッション接続要求メッセージも重畳して送信する。無線基地局２２は、RRC  Connection  Setupメッセージからセッション接続要求メッセージを取り出し、自装置の識別子（ＩＤ）を付与してトランスポートネットワーク１１０を介して加入者制御ノード３１へ転送する（ステップＳ１２）。同時に、無線基地局２２は、RRC  Connection  Setupメッセージを受付けて無線回線を設定することを通知するために、移動機１１にRRC  Contention  Resolutionメッセージを送信する（ステップＳ１３）。
【００１８】
つぎに、加入者制御ノード３１は、セッション接続要求メッセージの中で要求されている音声やストリーミングなどのサービスの種類に応じてネットワーク内のリソースを確保する。そして。割当てたリソースを含めた移動機１１を制御するための管理オブジェクトであるコンテキストを生成する（ステップＳ１４）。さらに、無線基地局２２から送信された無線基地局２２の識別子と、自装置が保有するアンカーエリアデータベース（接続した無線基地局の識別子ごとにアンカーエリアの端となる一以上の無線基地局の識別子が格納されたデータベース）と、に基づいて移動機１１に対するアンカーエリアを決定する。アンカーエリアデータベースとして格納されているアンカーエリアは、移動機１１がアクティブな状態で移動しても、すぐには異なるアンカーエリアの範囲外となることのないような範囲としてあらかじめ定めておく。たとえば、接続する無線基地局を中心とし、各方向に無線基地局を所定の個数だけ配置した範囲とするなどの方法がある。
【００１９】
そして、加入者制御ノード３１は、生成したコンテキストの内容を反映したコンテキスト設定要求を、トランスポートネットワーク１１０を介して無線基地局２２へ送信する（ステップＳ１６）。無線基地局２２は、加入者制御ノード３１からのコンテキスト設定要求に基づいて、移動機１１が要求するサービスに応じた無線回線を設定するため、Radio  Bearer  Setupメッセージを移動機１１へ送信する（ステップＳ１７）。移動機１１は、Radio  Bearer  Setupメッセージに基づいて無線回線を設定し、パケット通信を行うことが可能なアクティブな状態へと移行し、Radio  Bearer  Setup  Completeメッセージを無線基地局２２へ送信する（ステップＳ１８）。このRadio  Bearer  Setup  Completeメッセージには、加入者制御ノード宛のコンテキスト設定完了メッセージが重畳して含まれることとする。無線基地局２２は、Radio  Bearer  Setup  Completeメッセージからコンテキスト設定完了メッセージを取り出し、トランスポートネットワーク１１０を介して加入者制御ノード３１へ転送する（ステップＳ１９）。以上の手順により、移動機１１は、設定されたアンカーエリアでの通信が可能となる。
【００２０】
このように、本実施の形態では、無線基地局２２が、移動機１１からセッション接続要求を受信すると、自局の識別子をセッション接続要求に含めて加入者制御ノード３１に通知し、加入者制御ノード３１は、通知された無線基地局２２の識別子をもとに、移動機１１のアンカーエリアを決定するようにした。このため、移動機が待ち受け状態にある場合には、アンカーエリアを設定しないので、ネットワークの負荷を増大させることなく動的にアンカーエリアを構成することができる。
【００２１】
実施の形態２．
図４は、本発明にかかる通信システムの実施の形態２の動作を示したシーケンス図である。本実施の形態の通信システムの構成は、実施の形態１と同様である。本実施の形態のアンカーエリアの構成の一例も実施の形態１と同様である。以下、実施の形態１と同様の部分は説明を省略し、実施の形態１と異なる部分について説明する。
【００２２】
実施の形態１では、加入者制御ノード３１がアンカーエリアを決定したが、本実施の形態では加入者情報サーバ９１がアンカーエリアを決定する。図４を用いて本実施の形態の動作を説明する。移動機１１が最寄りの無線基地局２２にRRC  Connection  Setupメッセージを送信するステップＳ１１から、ステップＳ１４までは、実施の形態１と同様である。加入者制御ノード３１は、関門ゲートウェイノード５との間でユーザデータを転送するための転送路を形成するために、ステップＳ１２で送信されたセッション接続要求に基づいたコンテキスト生成要求メッセージを、トランスポートネットワーク１４０経由で関門ゲートウェイノード５へ送信する（ステップＳ２１）。このとき、加入者制御ノード３１は、セッション接続要求から無線地局２２の識別子を抽出し、抽出した識別子をコンテキスト生成要求メッセージに含めて送信する。
【００２３】
関門ゲートウェイノード５は、コンテキストセッション接続要求に含まれる無線基地局２２の識別子を抽出し、抽出した識別子を含むアンカーエリア問合せメッセージを、トランスポートネットワーク１４０を介して加入者情報サーバ９１へ送信する（ステップＳ２２）。加入者情報サーバ９１は、アンカーエリア問合せメッセージに含まれる無線基地局２２の識別子と自装置が保有するアンカーエリアデータベースに基づいて移動機１１に対するアンカーエリアを設定する。アンカーエリアデータベースは、実施の形態１で加入者制御ノードが保有するアンカーエリアデータベースと同様である。
【００２４】
加入者情報サーバ９１は、決定したアンカーエリアの情報を含むアンカーエリア通知メッセージを、トランスポートネットワーク１４０を介して関門ゲートウェイノード５へ送信する（ステップＳ２４）。関門ゲートウェイノード５は、アンカーエリア通知メッセージからアンカーエリアの情報を抽出し、抽出した情報を含むコンテキスト生成応答メッセージを、トランスポートネットワーク１４０を介して加入者制御ノード３１へ送信する（ステップＳ２５）。加入者制御ノード３１はコンテキスト生成応答メッセージに含まれるアンカーエリアの情報を格納する（ステップＳ２６）。
【００２５】
ステップＳ１６〜ステップＳ１９までは実施の形態１と同様である。ただし、本実施の形態では、ステップＳ１６の後に、以下のステップＳ２７とステップＳ２８を実施する。ステップＳ２７では、加入者制御ノード３１が、関門ゲートウェイノード５との間および無線基地局２２との間のユーザデータを転送するための転送路を設定するためのパス設定要求を加入者ゲートウェイノード４１に送信する（ステップＳ２７）。そして、加入者ゲートウェイノード４１は、パス設定要求に基づいて転送路を形成して、加入者制御ノード３１にパス設定応答を送信する（ステップＳ２８）。
【００２６】
このように、本実施の形態では、無線基地局２２が、移動機１１からセッション接続要求を受信すると、自局の識別子をセッション接続要求に含めて加入者制御ノード３１に通知し、加入者制御ノード３１は、通知された無線基地局２２の識別子を含むコンテキスト生成要求を関門ゲートウェイノード５に送信する。そして、関門ゲートウェイノード５が、無線基地局２２の識別子を含むアンカーエリア問い合わせメッセージを加入者情報サーバに送信し、加入者情報サーバが無線基地局２２の識別子に基づいてアンカーエリアを決定するようにした。このため、移動機が待ち受け状態にある場合には、アンカーエリアを設定しないので、ネットワークの負荷を増大させることなく動的にアンカーエリアを構成することができる。
【００２７】
実施の形態３．
図５は、本発明にかかる通信システムの実施の形態３のセッション開放時の動作を示したシーケンス図である。本実施の形態の通信システムの構成は、実施の形態１と同様である。本実施の形態のアンカーエリアの構成の一例も実施の形態１と同様である。また、本実施の形態のアンカーエリアの構成に関する動作は、実施の形態２で説明した図４と同様である。以下、実施の形態１または実施の形態２と同様の部分は説明を省略し、実施の形態１または実施の形態２と異なる部分について説明する。
【００２８】
本実施の形態では、移動機１１がアンカーエリア設定後にアクティブな状態となり、アクティブな状態で移動した範囲を、加入者制御ノードが格納しておく。そして、加入者情報サーバ９１が、アンカーエリアを決定する際に、格納された移動範囲を加味して決定する。以下、図５に基づいて本実施の形態のセッション開放時の動作について説明する。
【００２９】
まず、移動機１１は、パケット通信を終了する際、アクティブな状態から無線回線を解放して待ち受け状態と移行するために、無線回線を接続している無線基地局２２に対して、RRC  Connection  Releaseメッセージを送信する（ステップＳ３１）。このRRC  Connection  Releaseメッセージには、加入者制御ノード宛のセッション解放要求メッセージを重畳することとする。無線基地局２２は、RRC  Connection  Releaseメッセージからセッション解放要求メッセージを抽出して、自装置の識別子を付加してトランスポートネットワーク１１０を介して加入者制御ノード３１へ転送する（ステップＳ３２）。
【００３０】
加入者制御ノード３１は、関門ゲートウェイノード５が保持している移動機１１に関するコンテキスト情報を解放するため、コンテキスト解放要求メッセージを、トランスポートネットワーク１４０を介して関門ゲートウェイノード５へ送信する（ステップＳ３３）。加入者制御ノード３１は、移動機１１が実施の形態２で説明した動作により移動機１１がアクティブな状態に以降した後に、移動機１１の移動範囲（ハンドオーバにより移動した先で接続した無線基地局の識別子の履歴）を常時記録しておくこととする。そして、この常時記録しておいた移動機１１の移動範囲を、ステップＳ３３で送信するコンテキスト解放要求メッセージに含めて送信する。
【００３１】
加入者制御ノード３１は、ユーザテータ転送の為のリソースを解放してコンテキストを削除する（ステップＳ３４）。関門ゲートウェイノード５は、コンテキスト解放要求メッセージから移動機１１の移動範囲を抽出し、抽出した移動機１１の移動範囲を含む移動履歴通知メッセージを加入者情報サーバ９１へ送信する（ステップＳ３５）。加入者情報サーバ９１は通知された移動機１１の移動範囲を移動機ごとに記憶して（ステップＳ３６）、移動履歴格納完了メッセージを、トランスポートネットワーク１４０を介して関門ゲートウェイノード５へ送信する（ステップＳ３７）。
【００３２】
関門ゲートウェイノード５は、移動履歴格納完了メッセージを受け取ると、コンテキスト解放応答メッセージを、トランスポートネットワーク１４０を介して加入者制御ノード３１へ送信する（ステップＳ３８）。加入者制御ノード３１は、コンテキスト解放応答メッセージを受け取ると、コンテキスト解放要求を、トランスポートネットワーク１１０を介して無線基地局２２へ送信する（ステップＳ３９）。また、同時に、加入者制御ノード３１は、加入者ゲートウェイノード４１に対して、関門ゲートウェイノード５との間および無線基地局２２との間のユーザデータを転送するための転送路を解放するため、パス解放要求メッセージを送信する（ステップＳ４０）。加入者ゲートウェイノード４１は、パス解放要求メッセージに基づいて転送路を解放して、トランスポートネットワーク１１０を介して加入者制御ノード３１にパス回答応答を送信する（ステップＳ４１）。
【００３３】
一方、無線基地局２２は、コンテキスト解放要求を受信すると、コンテキスト解放要求に基づいて移動機１１に関するコンテキストを削除し、移動機１１との間の無線回線を開放するためにRadio  Bearer  Releaseメッセージを移動機１１へ送信する（ステップＳ４２）。移動機１１は、Radio  Bearer  Releaseメッセージに基づいて無線回線を解放して待ち受け状態へと移行し、Radio  Bearer  Release  Completeメッセージを無線基地局２２へ送信する（ステップＳ４３）。このRadio  Bearer  Release  Completeメッセージには、加入者制御ノード宛のコンテキスト解放完了メッセージが重畳されている。そして、無線基地局２２は、Radio  Bearer  Release  Completeメッセージからコンテキスト解放完了メッセージを抽出して、抽出したコンテキスト完了メッセージを、トランスポートネットワーク１１０を介して加入者制御ノード３１へ転送する（ステップＳ４４）。
【００３４】
そして、次に前記移動機１１が再びパケット通信を開始する際の動作は、実施の形態２と同様であるが、図４のステップＳ２３で加入者情報サーバ９１が、無線基地局２２の識別子とアンカーエリアデータベースに基づいて移動機１１のアンカーエリアを決定する際に、本実施の形態のステップＳ３６で記憶した移動機ごとの移動範囲を加味して決定する。たとえば、記憶している移動機１１の移動範囲が大きい場合には、アンカーエリアを大きめにするなどが考えられる。
【００３５】
このように、本実施の形態では、加入者制御ノード３１が、移動機１１がアクティブな状態で移動した範囲を保持しておき、移動機が待ち受け状態に以降する際に、加入者情報サーバ９１が移動機ごとにその移動範囲を格納する。そして、移動機１１が再度パケット通信を開始するときに、加入者情報サーバ９１は、格納した移動機１１の移動範囲を加味してアンカーエリアを決定するようにした。これによって、実施の形態２に比べ、より移動機ごとに適切なアンカーエリアを動的に決定することができる。
【００３６】
実施の形態４．
図６は、本発明にかかる通信システムの実施の形態４の動作を示したシーケンス図である。本実施の形態の通信システムの構成は、実施の形態１と同様である。本実施の形態のアンカーエリアの構成の一例も実施の形態１と同様である。以下、実施の形態１と同様の部分は説明を省略し、実施の形態１と異なる部分について説明する。
【００３７】
図６を用いて本実施の形態の動作について説明する。まず、実施の形態１と同様のステップＳ１１〜ステップＳ１４を実施する。ステップＳ１４の後、加入者制御ノードは、アンカーエリアを決定する前に、ネットワーク（ＮＷ）の負荷状況をオペレーションセンター９２に問い合わせる（ステップＳ５１）。オペレーションセンター９２は、加入者制御ノードの問い合わせを受信すると、トランスポートネットワーク１１０，各無線基地局などのリソース使用状況や負荷状況などを示す負荷情報を加入者制御ノード３１に通知する（ステップＳ５２）。そして、加入者制御ノード３１は、通知された負荷情報，ステップＳ１２で送信された無線基地局２２の識別子と保有しているアンカーエリアデータベースに基づいて、アンカーエリアを決定する（ステップＳ５３）。本実施の形態のアンカーエリアデータベースは実施の形態１のアンカーエリアデータベースと同様である。
【００３８】
前記加入者制御ノード３１は、たとえばリソース使用状況や負荷状況が高い場合はアンカーエリアを通常（リソース使用状況や負荷状況を加味しない時）よりも小さくし、逆にリソース使用状況や負荷状況が低い場合はアンカーエリアを通常よりも大きくするように決定する。ステップＳ１６からステップＳ１８までは実施の形態１と同様である。
【００３９】
なお、本実施の形態では、加入者制御ノード３１は、アンカーエリアを決定する前にネットワークの負荷状況をオペレーションセンター９２に問い合わせるようにしたが、これに限らず、オペレーションセンター９２がイベントトリガー（リソース使用状況や負荷状況に変化が発生した時点など）に、加入者制御ノード３１に自律的に通知するようにしても良い。この場合、アンカーエリアの決定時ごとにオペレーションセンター９２に問い合わせる必要がなくなり、リソース使用状況や負荷状況を自律的に通知するための変化のしきい値を大きくしておくと、加入者制御ノード３１とオペレーションセンター９２との負荷状況の情報授受に伴う制御トラヒックを減少させることができる。
【００４０】
なお、本実施の形態では、加入者制御ノード３１は、オペレーションセンター９２に問い合わせてネットワークの負荷状況を取得するようにしたが、これに限らず、ネットワークの負荷状況を取得できる方法であれば、どのような方法により取得してもよい。また、本実施の形態では、加入者制御ノード３１がアンカーエリアを決定する場合について説明したが、実施の形態２のように加入者情報サーバ９１がアンカーエリアを決定する場合に、加入者情報サーバ９１がネットワークの負荷状況を取得し、取得した負荷状況を加味してアンカーエリアを決定するようにしてもよい。また、アンカーエリアを決定するためにさらに他の条件がある場合には、それらの条件にさらにネットワークの負荷状況を加味してアンカーエリアを決定するようにしてもよい。
【００４１】
このように、本実施の形態では、加入者制御ノード３１がアンカーエリアを決定する再に、無線ネットワークの負荷状況に応じて決定するようにした。このため、ネットワークの負荷状況に適応したアンカーエリアを決定することができる。
【００４２】
実施の形態５．
図７は、本発明にかかる通信システムの実施の形態５の動作を示したシーケンス図である。本実施の形態の通信システムの構成は、実施の形態１と同様である。本実施の形態のアンカーエリアの構成の一例も実施の形態１と同様である。以下、実施の形態１または実施の形態２と同様の部分は説明を省略し、実施の形態１または実施の形態２と異なる部分について説明する。
【００４３】
図７を用いて本実施の形態の動作について説明する。まず、実施の形態２と同様のステップＳ１１〜ステップＳ１４およびステップＳ２１を実施する。関門ゲートウェイノード５は、コンテキスト生成要求に基づいて移動機１１のユーザテータ通信のためのサービス品質クラス（ＱｏＳクラス）を決定するとともに、コンテキストを生成する（ステップＳ６１）。なお、コンテキスト生成要求には、移動機１１の要求するパケット通信の種類などサービス品質の判断のための情報が含まれているとする。また、関門ゲートウェイノード５は、トランスポートネットワーク１４０を介し、加入者制御ノード３１へ決定したサービス品質クラスを含むコンテキスト生成応答メッセージを送信する（ステップＳ６２）。
【００４４】
加入者制御ノード３１は、コンテキスト生成応答メッセージに含まれるサービス品質クラスを抽出し、抽出したサービス品質クラスを加味して、無線基地局２２の識別子とアンカーエリアデータベースに基づいて移動機１１のアンカーエリアを決定する（ステップＳ６３）。なお、本実施の形態のアンカーエリアデータベースは、実施の形態１のアンカーエリアデータベースと同様である。
【００４５】
たとえば、加入者制御ノード３１は、サービス品質クラスの良い（良いサービス品質を提供しなければならない）場合はアンカーエリアを通常（サービス品質を加味しない時）よりも大きく、逆にサービス品質クラスが良くない（良いサービス品質を提供しなくてもよい）場合はアンカーエリアを通常（サービス品質を加味しない時）よりも小さくする。その後のステップＳ１６〜ステップＳ１９およびステップＳ２７，ステップＳ２８の処理は実施の形態２と同様である。
【００４６】
なお、本実施の形態では、加入者制御ノード３１がアンカーエリアを決定する場合について説明したが、実施の形態２のように加入者情報サーバ９１がアンカーエリアを決定する場合には、関門ゲートウェイノード５がサービス品質情報を加入者情報サーバ９１に通知して、加入者情報サーバ９１がアンカーエリアの決定の際にサービス品質情報を加味するようにしてもよい。また、本実施の形態では、関門ゲートウェイノード５が、移動機１１のサービス品質クラスを決定するようにしたが、これに限らず、たとえば、加入者制御ノード３１など他の装置がサービス品質クラスを決定し、サービス品質クラスを決定した装置が、アンカーエリアを決定する装置にサービス品質クラスを通知するようにしてもよい。また、アンカーエリアを決定するためにさらに他の条件がある場合には、それらの条件にさらにサービス品質クラスを加味してアンカーエリアを決定するようにしてもよい。
【００４７】
このように、本実施の形態では、移動機１１からのセッション接続要求に基づいて、関門ゲートウェイノードが移動機１１のサービス品質クラスを決定し、加入者制御ノード３１が決定したサービス品質クラスに応じて移動機１１のアンカーエリアを決定するようにした。このため、実施の形態２に比べサービス品質クラスに応じたより適切なアンカーエリアを動的に決定することができる。
【００４８】
実施の形態６．
本発明にかかる通信システムの実施の形態６では、移動機ごとのユーザ情報を考慮して、アンカーエリアを決定する。本実施の形態の通信システムの構成は、実施の形態１と同様である。本実施の形態のアンカーエリアの構成の一例も実施の形態１と同様である。以下、実施の形態１または実施の形態２と同様の部分は説明を省略し、実施の形態１または実施の形態２と異なる部分について説明する。
【００４９】
本実施の形態の動作は、以下に説明する点以外は、実施の形態２と同様である。本実施の形態では、実施の形態２で説明した図４のステップＳ２３で、加入者情報サーバ９１は、自装置が管理している移動機１１に対応するユーザ情報と、無線基地局２２の識別子と、アンカーエリアデータベースに基づいて移動機１１のアンカーエリアを決定する。なお、本実施の形態のアンカーエリアデータベースは、実施の形態１のアンカーエリアデータベースと同様である。
【００５０】
たとえば、加入者情報サーバ９１は、高い料金を払っているユーザ（良いサービス品質を提供しなければならない）にはアンカーエリアを通常（加入者情報を加味しない時）よりも大きく、逆に安い料金を払っているユーザ（良いサービス品質を提供しなくてもよい）にはアンカーエリアを通常（加入者情報を加味しない時）よりも小さくする。
【００５１】
なお、本実施の形態では、実施の形態２のアンカーエリアの決定の際に、さらに加入者情報を加味するようにしたが、これに限らず、実施の形態３のアンカーエリアの決定の際に、さらに加入者情報を加味するようにしてもよく、また、アンカーエリアを決定するためにさらに他の条件を同時に考慮するようにしてもよい。
【００５２】
このように、本実施の形態では、加入者情報サーバ９１が、自装置が管理している移動機１１に対応するユーザ情報に応じて移動機１１のアンカーエリアを決定するようにした。このため、実施の形態２にユーザごとにより適切なアンカーエリアを動的に決定することができる。
【００５３】
実施の形態７．
図８は、本発明にかかる通信システムの実施の形態７の動作を示したシーケンス図である。本実施の形態の通信システムの構成は、実施の形態１と同様である。図９は、本実施の形態のアンカーエリアの構成の一例を示す図である。
【００５４】
図８および図９を用いて本実施の形態の動作について説明する。図８に示すように、移動機１１が、アンカーエリア３４０の端の無線基地局２３に接続し、アクティブな状態のまま隣接の無線基地局２４の方向へ移動する場合を例に動作を説明する。移動機１１は、アクティブなまま隣接の無線基地局２４の方向へ移動し、接続している無線基地局２３の受信レベルより無線基地局２４の受信レベルが高くなったとする。このとき、移動機１１は、無線基地局２４の受信レベルの方が高くなったことを知らせるために無線基地局２３および無線基地局２４の受信レベルの測定値を含む測定情報を通知するMeasurement  Reportメッセージを無線基地局２３へ送信する（ステップＳ７１）。
【００５５】
無線基地局２３は、Measurement  Reportメッセージに含まれる測定情報に基づいて移動機１１を隣接の無線基地局２４へハンドオーバさせた方が良いと判断し、隣接の無線基地局２４へHandover  Requestメッセージを送信する（ステップＳ７２）。隣接の無線基地局２４は、移動機１１が通信中のサービスを継続させるために必要となる無線リソースを移動機１１との通信に割り当て、Handover  Request  Acknowledgeメッセージを無線基地局２３へ送信する（ステップＳ７３）。
【００５６】
無線基地局２３は、Handover  Request  Acknowledgeメッセージを受信すると、ハンドオーバの準備が整ったと判断し、移動機１１をハンドオーバさせるためのハンドオーバ先などの情報を含むHandover  Commandメッセージを移動機１１へ送信する（ステップＳ７４）。移動機１１はHandover  Commandメッセージを受信すると、Handover  Commandメッセージに基づいて無線基地局２４との間で無線回線を新たに接続し、ハンドオーバが完了したことを通知するためのHandover  Confirmメッセージを無線基地局２４へ送信する（ステップＳ７５）。
【００５７】
無線基地局２４は、Handover  Confirmメッセージに基づいて移動機１１がハンドオーバして自装置との間で無線回線を接続したと判断し、加入者ゲートウェイノード４１に対し、無線基地局２３との間で移動機１１のユーザデータを転送していた転送路を自装置方向に切替えさせるために、Path  Switch  Requestメッセージを送信する（ステップＳ７６）。無線基地局２４は、同時に、アクティブな状態にある移動機１１のセッションの制御を担当している加入者制御ノード３１に対して、トランスポートネットワーク１１０を介して移動機１１が無線基地局２４へのハンドオーバが完了したことを通知するHandover  Completeメッセージを送信する（ステップＳ７７）。
【００５８】
加入者制御ノード３１は、Handover  Completeメッセージを受信すると、Handover  Completeメッセージを送信した無線基地局２４が、移動機１１がアクティブな状態へ移行した際に決定したアンカーエリア３４０を超過しているか否かを判断する（ステップＳ７８）。アンカーエリア３４０を超過していないと判断した場合（図９のアンカーエリア未超過時のケース：ステップＳ７８  Ｎｏ）は、加入者制御ノード３１は、加入者ゲートウェイノード４１に対して、無線基地局２３との間で移動機１１のユーザデータを転送していた転送路を無線基地局２４方向に切替えさせるためのパス変更要求メッセージを送信する（ステップＳ７９）。加入者ゲートウェイノード４１は、ステップＳ７６で送信されたPath  Switch  Requestメッセージに基づいて既に移動機１１のユーザデータの転送路を無線基地局２４方向に切替えていた場合には、あらためて転送路を切替える必要はないが、ステップＳ７６でPath  Switch  Requestメッセージが正しく受信されていなかった場合などには、上記のように転送路を無線基地局２４方向に切替える。
【００５９】
また、加入者制御ノード３１は、トランスポートネットワーク１１０を介しハンドオーバに関する処理が終わったことを通知するためHandover  Complete  Acknowledgeメッセージを、無線基地局２４へ送信する（ステップＳ８０）。無線基地局２４は無線基地局２３に移動機１１との間で無線回線を接続するために割当てていた無線リソースを解放させるため、無線基地局２３に対してRelease  Resourceメッセージを送信する（ステップＳ８１）。
【００６０】
一方、ステップＳ７８で、加入者制御ノード３１は、アンカーエリア３４０を超過していると判断した場合（図９のアンカーエリア超過時のケース：ステップＳ７８  Ｙｅｓ）には、加入者ゲートウェイノード４１に対して、移動機１１との間のユーザデータを転送していた転送路を解放させるためのパス解放要求メッセージを送信する（ステップＳ８２）。さらに、加入者制御ノード３１は、移動機１１をアクティブな状態から待ち受け状態へと移行させるために、トランスポートネットワーク１１０を介して無線基地局２４に対してコンテキスト解放要求を送信する（ステップＳ８３）。
【００６１】
無線基地局２４はコンテキスト解放要求に基づいて移動機１１に対してRadio  Bearer  Releaseメッセージを送信する（ステップＳ８４）。移動機１１は、無線基地局２４へコンテキスト開放完了メッセージを含むRadio  Bearer  Release  Completeメッセージを送信し（ステップＳ８５）、無線回線を解放してアクティブな状態から待ち受け状態へと移行する。無線基地局２４はRadio  Bearer  Release  Completeメッセージに含まれるコンテキスト解放完了メッセージを抽出して、抽出したコンテキスト解放完了メッセージを加入者制御ノード３１へトランスポートネットワーク１１０を介して送信する（ステップＳ８６）。この際、加入者制御ノード３１は、コンテキスト解放完了メッセージを受けても、移動機１１のセッションを制御するための管理オブジェクトであるコンテキスト情報を解放せずに保持しておく。
【００６２】
待ち受け状態に移行した前記移動機１１は、再びパケット通信を行う際に、無線回線を接続してアクティブな状態へと移行するために、無線基地局２４に対してRRC  Connection  Setupメッセージを送信する（ステップＳ８７）。本メッセージには実施の形態１のステップ１１と同様に加入者制御ノード３１宛のセッション接続要求メッセージが含まれる。無線基地局２２は前記セッション接続要求メッセージを取り出し、自装置の識別子を付加してトランスポートネットワーク１１０を介して加入者制御ノード３１へ転送する（ステップＳ８８）。同時に無線基地局２４は、RRC  Connection  Setupメッセージを受付けて無線回線を設定することを通知するために、移動機１１に対してRRC  Contention  Resolutionメッセージを送信する（ステップＳ８９）。
【００６３】
加入者制御ノード３１は、保持しておいた移動機１１のコンテキストを用い、コンテキストはあらたに生成しない。加入者制御ノード３１は、接続した無線基地局２４の識別子とアンカーエリアデータベースに基づいて移動機１１のアンカーエリアを決定する（ステップＳ９０）。アンカーエリアデータベースは、実施の形態１と同様である。その後のステップＳ１６〜ステップ１９およびステップＳ２７，２８は実施の形態２と同様である。ただし、本実施の形態では、加入者制御ノード３１が、ステップＳ２７の前に自装置との転送経路の最適化，加入者ゲートウェイノードの負荷，移動機１１とのユーザデータの転送経路の最適化を考慮して加入者ゲートウェイノードを再選択する。ここでは加入者ゲートウェイノード４２が選択されたとし、ステップＳ２７では、加入者制御ノード３１は、加入者ゲートウェイノード４２に対してパス設定要求メッセージを送信する。そして、ステップＳ２８では、加入者ゲートウェイノード４２が応答メッセージを送信する。
【００６４】
このように、本実施の形態では、移動機１１がアクティブな状態を維持しながら基地局間ハンドオーバを行い、それまで所属していたアンカーエリアの範囲を超えた場合に、加入者制御ノード３１は、移動機１１を待ち受け状態に遷移させる際に、移動機１１のコンテキスト情報を開放せずに保持するようにした。そして、再び、移動機１１がアクティブな状態になった場合には、保持しておいたコンテキスト情報を用いるようにした。このため、再度コンテキスト情報を生成する場合にくらべ、移動機１１との再接続の処理を速やかに行うことができる。
【００６５】
実施の形態８．
図１０は、本発明にかかる通信システムの実施の形態８の動作を示したシーケンス図である。本実施の形態の通信システムの構成は、実施の形態１と同様である。また、本実施の形態のアンカーエリアの構成の一例は、実施の形態７で説明した図９と同様である。
【００６６】
本実施の形態では、実施の形態７と同様に、移動機１１が、アンカーエリア３４０の端の無線基地局２３に接続し、アクティブな状態のまま隣接の無線基地局２４の方向へ移動する場合を例に動作を説明する。本実施の形態では、実施の形態７と同様のステップＳ７１〜ステップ７８までを実施し、ステップＳ７８でアンカーエリア３４０を超過していないと判断した場合（ステップＳ７８  Ｎｏ）の処理は、実施の形態７と同様である。図１０では、実施の形態７と同様の部分は省略している。
【００６７】
ステップＳ７８でアンカーエリア３４０を超過していると判断した場合（ステップＳ７８  Ｙｅｓ）のステップＳ８２〜ステップＳ８６についても実施の形態７と同様である。ステップＳ８６の後、加入者制御ノード３１は、移動機が再度アクティブな状態になるまでの時間を監視するための監視タイマーを起動する（ステップＳ９１）。そして、監視タイマーが設定された所定の時間が経過してタイムアウトするまでに移動機１１からのセッション接続要求を受信しなかった場合には、保持していた移動機１１とのユーザデータ転送のためのリソースを解放し、セッションを制御するための管理オブジェクトであるコンテキスト情報を解放する（ステップＳ９２）。監視タイマーがタイムアウトをするまでに、移動機１１がRRC  Connection  Setupメッセージし、無線基地局２４がセッション接続要求を送信した場合の処理は、実施の形態７と同様である。
【００６８】
このように、本実施の形態では、移動機１１がアクティブな状態を維持しながら基地局間ハンドオーバを行い、それまで所属していたアンカーエリアの範囲を超えた場合に、加入者制御ノード３１は、移動機１１を待ち受け状態に遷移させる際に、移動機１１のコンテキスト情報を開放せずに保持するようにした。そして、移動機が所定の時間再度接続しなかった場合には、加入者制御ノード３１は移動機１１のリソースおよびコンテキストを開放するようにした。このため、再接続することのない移動機または長時間再接続しない移動機について、リソースおよびコンテキストを保持することがなく、リソースおよびコンテキスト用の格納領域を有効に活用することができる。
【００６９】
実施の形態９．
図１１は、本発明にかかる通信システムの実施の形態９の動作を示したシーケンス図である。本実施の形態の通信システムの構成は、実施の形態１と同様である。また、本実施の形態のアンカーエリアの構成の一例は、実施の形態７で説明した図９と同様である。
【００７０】
本実施の形態おいて、移動機がアクティブな状態を維持しながら基地局間ハンドオーバによるユーザデータ転送用方路の切替えが可能な範囲を超えた移動により、前記移動機のセッションを解放して非アクティブな状態へと遷移させる際に、一定期間前記セッションを制御するためのコンテキスト情報を開放せずに保持しておくとともに、前記移動機宛のパケットデータを保持しておき、前記移動機が前記一定期間内に再度セッション接続要求してきた際は、前記保持しておいたコンテキスト情報を用いてセッション接続を行ない、保持しておいた前記移動機宛のパケットデータを転送することを特徴とするアンカーエリア構成方法について説明する。
【００７１】
本実施の形態では、実施の形態７と同様に、移動機１１が、アンカーエリア３４０の端の無線基地局２３に接続し、アクティブな状態のまま隣接の無線基地局２４の方向へ移動する場合を例に動作を説明する。本実施の形態では、実施の形態７と同様のステップＳ７１〜ステップ７８までを実施し、ステップＳ７８でアンカーエリア３４０を超過していないと判断した場合（ステップＳ７８  Ｎｏ）の処理は、実施の形態７と同様である。図１１では、実施の形態７と同様の部分は省略している。
【００７２】
ステップＳ７８でアンカーエリア３４０を超過していると判断した場合（ステップＳ７８  Ｙｅｓ）には、加入者制御ノード３１は、実施の形態７と同様にパス開放要求を加入者ゲートウェイノード４１に送信するが、このとき、本実施の形態では、移動機１１のユーザデータのバッファリング開始を指示するためのバッファリング指示をパス開放要求に含めて送信する（ステップＳ８２ａ）。加入者ゲートウェイノード４１は、パス開放要求に含まれるバッファリング指示に基づいて、移動機１１宛のユーザデータのバッファリングを開始する（ステップＳ１０１）。
【００７３】
ステップＳ８３〜ステップＳ９０までは、実施の形態７と同様である。ステップＳ１６〜ステップＳ１９は実施の形態２と同様である。ステップＳ２７ａ，ステップＳ２８ａは、実施の形態７のステップＳ２７，ステップＳ２８と同様であるが、本実施の形態では、加入者ゲートウェイノード４１が移動機１１のユーザデータをバッファリングしているため、加入者ゲートウェイノードの再選択は行わず、ステップＳ２７ａでは、加入者ゲートウェイノード４１にパス設定要求を送信する。そして、ステップＳ２８ａでは、加入者ゲートウェイノード４１が、その応答を加入者制御ノード３１に送信する。
【００７４】
加入者ゲートウェイノード４１は、パス設定要求で指定されたパス設定情報に基づいて移動機１１とのユーザデータの転送路を形成し、バッファリングしておいた移動機１１宛のユーザデータを加入者制御ノード３１，無線基地局２４経由で転送する（ステップＳ１０２）。
【００７５】
なお、本実施の形態では、すべてのユーザデータをバッファリングするようにしたが、加入者制御ノード３１がバッファリングするデータをサービスの種類などにより選択して、ステップＳ８２ａのバッファリング指示でバッファリングするデータを指定するようにしてもよい。この場合、加入者ゲートウェイノード４１は、移動機１１宛のユーザデータのうち指定されたデータのみをバッファリングする、たとえば、加入者制御ノード３１は、特定のサービスのたとえば非リアルタイム系のサービスのユーザデータのみをバッファリングするデータとして指定する。リアルタイム系のサービスでは、バッファリングしておいても後に転送する必要がなく不要となることがあるが、このように選択してバッファリングすることで、不要となるデータをバッファリングする必要がなくなり加入者ゲートウェイノード４１におけるバッファリング収容容量を有効に活用することができる。
【００７６】
このように、本実施の形態では、移動機１１がアクティブな状態を維持しながら基地局間ハンドオーバを行い、それまで所属していたアンカーエリアの範囲を超えた場合に、加入者ゲートウェイノード４１が移動機１１宛のユーザデータをバッファリングし、移動機１１が再接続した後に、バッファリングしたユーザデータを移動機１１に転送するようにした。このため、移動機１１が待ち受け状態にある間に受信した移動機１１宛のユーザデータを破棄せずに、転送することができる。
【産業上の利用可能性】
【００７７】
以上のように、本発明にかかる通信方法および通信システムは、移動機を含む無線通信システムに有用であり、特に、移動機が基地局間を移動できる範囲であるアンカーエリアを構成する通信システムに適している。
【図面の簡単な説明】
【００７８】
【図１】本発明にかかる通信システムの実施の形態１の構成例を示す図である。
【図２】実施の形態１のアンカーエリアの構成の一例を示す図である。
【図３】実施の形態１の動作を示したシーケンス図である。
【図４】実施の形態２の動作を示したシーケンス図である。
【図５】実施の形態３のセッション開放時の動作を示したシーケンス図である。
【図６】実施の形態４の動作を示したシーケンス図である。
【図７】実施の形態５の動作を示したシーケンス図である。
【図８】実施の形態７の動作を示したシーケンス図である。
【図９】実施の形態７のアンカーエリアの構成の一例を示す図である。
【図１０】実施の形態８の動作を示したシーケンス図である。
【図１１】実施の形態９の動作を示したシーケンス図である。
【符号の説明】
【００７９】
５  関門ゲートウェイノード
１１，１２  移動機
２１，２２，２３，６１，６２  無線基地局
３１，３２，８１，８２  加入者制御ノード
４１，４２  加入者ゲートウェイノード
７１，７２  基地局制御装置
９１  加入者情報サーバ
９２  オペレーションセンター
１１０，１２０，１３０，１４０  トランスポートネットワーク
２００  パケット通信ネットワーク
【図１】
2008306384.tif 000003
【図２】
2008306384.tif 000004
【図３】
2008306384.tif 000005
【図４】
2008306384.tif 000006
【図５】
2008306384.tif 000007
【図６】
2008306384.tif 000008
【図７】
2008306384.tif 000009
【図８】
2008306384.tif 000010
【図９】
2008306384.tif 000011
【図１０】
2008306384.tif 000012
【図１１】
2008306384.tif 000013